(57)【特許請求の範囲】
【請求項１】
保護機能が強化されたパッシブ光ネットワーク（ＰＯＮ）であって、
第１の光ファイバ（２４）及び第２の光ファイバ（２６）にそれぞれ接続される光加入者線端局装置（２０）と、
前記第１の光ファイバ（２４）のみを通して前記光加入者線端局装置（２０）に接続される保護されていない光加入者線終端装置（１４）から成る第１の組と、
前記第１の光ファイバ（２４）及び前記第２の光ファイバ（２６）の両方を通して前記光加入者線端局装置（２０）に接続される保護されている光加入者線終端装置（１６）から成る第２の組と
を備え、
前記光加入者線端局装置（２０）は、前記第１のファイバ（２４）に接続される対応する光加入者線終端装置（１４，１６）によって使用される第１のＴＤＭＡアップリンクアクセスのための伝送資源、及び、前記第２の光ファイバ（２６）に接続される対応する光加入者線終端装置（１６）によって使用される第２のＴＤＭＡアップリンクアクセスのための伝送資源を、それぞれ別個に計算して割り当てることができる第１の動的伝送資源割当てユニット（４７）及び第２の動的伝送資源割当てユニット（４８）を有し、
前記第１の組の保護されていない光加入者線終端装置（１４）のそれぞれは、前記第１の動的伝送資源割当てユニット（４７）によって規定される特定の現在の第１の伝送資源に従って、前記第１のＴＤＭＡアップリンクにおいて適時にユーザデータを伝送することができると共に、前記各保護されていない光加入者線終端装置（１４）によって前記第１のＴＤＭＡアップリンク上で伝送されるデータの容量を表すユーザアクセスバッファ（８１）の現在のステータスを前記第１の動的伝送資源割当てユニット（４７）に送信することができ、
前記第２の組の保護されている光加入者線終端装置（１６）のそれぞれは、
２つの異なるユーザアクセスバッファ（９１，９３）を有する複製データユニット（９０）を備え、前記第１のＴＤＭＡアップリンクアクセス及び前記第２のＴＤＭＡアップリンクアクセスにおいて、前記第１の動的伝送資源割当てユニット（４７）によって規定される第１の現在の伝送資源及び前記第２の動的伝送資源割当てユニット（４８）によって規定される第２の現在の伝送資源に従って、同一のユーザデータを別個且つ適時に伝送することができると共に、
前記第１のＴＤＭＡアップリンク上において前記各保護されている光加入者線終端装置（１６）によって前記第１の動的伝送資源割当てユニット（４７）に伝送される第１の現在のデータの容量、及び、前記第２のＴＤＭＡアップリンク上において前記各保護されている光加入者線終端装置（１６）によって前記第２の動的伝送資源割当てユニット（４８）に伝送される第２の現在のデータの容量を表す、前記ユーザアクセスバッファ（９１，９３）の現在のステータスを送信することができ、
前記光加入者線端局装置（２０）は、前記ユーザアクセスバッファ（９１，９３）の前記現在のステータスを考慮に入れることによって、同一の保護されている光加入者線終端装置（１６）に対応する前記計算された第１の伝送資源及び第２の伝送資源を調整するために、前記第１の動的伝送資源割当てユニット（４７）と前記第２の動的伝送資源割当てユニット（４８）との間に、前記第２の組の保護されている光加入者線終端装置（１６）に割り当てられる第１の伝送資源及び第２の伝送資源のそれぞれ別個に計算された値を交換するためのリンク（９８）を備え、
前記光加入者線端局装置（２０）は、前記第１の光ファイバ（２４）に接続されると共に前記第１の光ファイバ（２４）に対応するＴＤＭＡアップリンクアクセスを管理することができる第１のマルチポイント制御ユニット（４５）と、前記第２の光ファイバ（２６）に接続されると共に前記第２の光ファイバ（２６）に対応するＴＤＭＡアップリンクアクセスを管理することができる第２のマルチポイント制御ユニット（４６）とを備え、
前記第１のマルチポイント制御ユニット（４５）及び前記第２のマルチポイント制御ユニット（４６）は、
前記第１の動的伝送資源割当てユニット（４７）及び前記第２の動的伝送資源割当てユニット（４８）にそれぞれ接続され、現在の伝送資源、並びに、前記第１のＴＤＭＡアップリンクアクセス及び前記第２のＴＤＭＡアップリンクアクセスに対応する保護されている光加入者線終端装置（１６）の前記バッファ（９１，９３）の現在のステータスに関するシグナリングを交換することができ、同一の保護されている光加入者線終端装置（１６）のための前記第１のＴＤＭＡアクセス及び前記第２のＴＤＭＡアクセスに対応する第１の伝送資源及び第２の伝送資源を調整するように命令する
ことを特徴とする、保護機能が強化されたパッシブ光ネットワーク。
【請求項２】
前記第１の動的伝送資源割当てユニット（４７）及び前記第２の動的伝送資源割当てユニット（４８）は単一の同じユニット（３１０）であることを特徴とする、請求項１に記載の保護機能が強化されたパッシブ光ネットワーク。
【請求項３】
前記保護機能が強化されたパッシブ光ネットワーク（ＰＯＮ）は、前記第２の光ファイバ（２６）のみを通して前記光加入者線端局装置（１０）に接続される保護されていない光加入者線終端装置（１４）から成る第３の組を備えることを特徴とする、請求項１又は２に記載の保護機能が強化されたパッシブ光ネットワーク。
【請求項４】
前記第１のマルチポイント制御ユニット（４５）及び前記第２のマルチポイント制御ユニット（４６）はそれぞれ、
第１のデマルチプレクサ（５２）及び第２のデマルチプレクサ（６４）と、
前記第１のデマルチプレクサ（５２）及び前記第２のデマルチプレクサ（６４）にそれぞれ接続されるＦＩＦＯバッファ（５４，５６）の第１のバンク及びＦＩＦＯバッファ（６６）の第２のバンクと、
前記ＦＩＦＯバッファ（５４，５６）の第１のバンクの出力及び前記ＦＩＦＯバッファ（６６）の第２のバンクの出力にそれぞれ接続される第１の多重化ユニット（５８）及び第２の多重化ユニット（６８）と、
を備えることを特徴とする、請求項１〜３のいずれか一項に記載の保護機能が強化されたパッシブ光ネットワーク。
【請求項５】
前記各多重化ユニット（５８，６８）は、前記保護されている光加入者線終端装置（１６）のサブセットのデータに対応するデータを選択的にマスキングすることができる阻止ユニット（６０，７０）を備えることを特徴とする、請求項４に記載の保護機能が強化されたパッシブ光ネットワーク。
【請求項６】
前記光加入者線端局装置（２０）は、前記第１のマルチポイント制御ユニット（４５）及び前記第２のマルチポイント制御ユニット（４６）の上流側の出力にそれぞれ接続される２つの入力を有する高速多重化ユニット（５０）を備えることを特徴とする、請求項１〜５のいずれか一項に記載の保護機能が強化されたパッシブ光ネットワーク。
【請求項７】
前記光加入者線端局装置（２０）は、前記阻止ユニット（６０，７０）を制御することができる保護監視・ハンドオーバ管理ユニット（４９）を備え、
前記保護されている光加入者線終端装置（１６）は、前記第１の光ファイバ（２４）及び前記第２の光ファイバ（２６）を通して前記保護監視・ハンドオーバ管理ユニット（４９）と保護シグナリングを交換することができる保護プロトコル管理ユニット（９４）を備える
ことを特徴とする、請求項１〜６のいずれか一項に記載の保護機能が強化されたパッシブ光ネットワーク。
【請求項８】
前記シグナリングは、ＩＴＵＧ８４１及びＧ９８３．５標準規格において定義される２つのバイトのＰＳＴタイプメッセージの交換、すなわちＫ１及びＫ２の交換を含む、請求項７に記載の保護機能が強化されたパッシブ光ネットワーク。
【請求項９】
前記Ｋ１及びＫ２バイトは、ＩＥＥＥ８０２．３ａｈにおいて定義されるように、マルチポイントＭａｃレイヤ内でこれらのバイトを搬送するための特定のイーサネット（登録商標）フレーム（２００）中で搬送され、
前記特定のフレーム（２００）は、
宛先アドレス情報を含む６バイトの第１のフィールド（２０２）と、
送信元アドレス情報を含む６バイトの第２のフィールド（２０４）と、
新しい長さ／タイプ情報を含む２バイトの第３のフィールド（２０６）と、
オペコード情報を含む２バイトの第４のフィールド（２０８）と、
Ｋ１バイト情報を含む１バイトの第５のフィールド（２１０）と、
Ｋ２バイト情報を含む１バイトの第６のフィールド（２１２）と、
パディング情報を含む４２バイトの第７のフィールド（２１４）と、
ＦＣＳ情報を含む４バイトの第８のフィールド（２１６）と、
を含むことを特徴とする、請求項８に記載の保護機能が強化されたパッシブ光ネットワーク。
【請求項１０】
パッシブ光ネットワークにおける保護方法であって、
該パッシブ光ネットワークは、
第１の光ファイバ（２４）及び第２の光ファイバ（２６）にそれぞれ接続される光加入者線端局装置（２０）と、
前記光加入者線端局装置（２０）に前記第１の光ファイバ（２４）のみを通して接続される光加入者線終端装置（１４）から成る第１の組と、
前記光加入者線端局装置（２０）に前記第１の光ファイバ（２４）及び前記第２の光ファイバ（２６）の両方を通して接続される保護されている光加入者線終端装置（１６）から成る第２の組と
を備え、
前記光加入者線端局装置（２０）は、前記第１のファイバ（２４）に接続される対応する光加入者線終端装置（１４，１６）によって使用される第１のＴＤＭＡアップリンクアクセスのための伝送資源、及び、前記第２の光ファイバ（２６）に接続される対応する光加入者線終端装置（１６）によって使用される第２のＴＤＭＡアップリンクアクセスのための伝送資源を、それぞれ別個に割り当てることができる第１の動的伝送資源割当てユニット（４７）及び第２の動的伝送資源割当てユニット（４８）を有し、
前記第１の組の保護されていない光加入者線終端装置（１４）のそれぞれは、前記第１の動的伝送資源割当てユニット（４７）によって規定される特定の現在の第１の伝送資源に従って、前記第１のＴＤＭＡアップリンクにおいて適時にユーザデータを伝送することができると共に、前記各保護されていない光加入者線終端装置（１４）によって前記第１のＴＤＭＡアップリンク上で伝送されるデータの容量を表すユーザアクセスバッファ（８１）の現在のステータスを前記第１の動的伝送資源割当てユニット（４７）に送信することができ、
前記第２の組の保護されている光加入者線終端装置（１６）のそれぞれは、
２つの異なるユーザアクセスバッファを有する複製データユニット（９０）を備え、前記第１のＴＤＭＡアップリンクアクセス及び前記第２のＴＤＭＡアップリンクアクセスにおいて、前記第１の動的伝送資源割当てユニット（４７）によって規定される第１の現在の伝送資源及び前記第２の動的伝送資源割当てユニット（４８）によって規定される第２の現在の伝送資源に従って、同一のユーザデータを別個且つ適時に伝送することができると共に、
前記第１のＴＤＭＡアップリンク上において前記各保護されている光加入者線終端装置（１６）によって前記第１の動的伝送資源割当てユニット（４７）に伝送される第１の現在のデータの容量、及び、前記第２のＴＤＭＡアップリンク上において前記各保護されている光加入者線終端装置（１６）によって前記第２の動的伝送資源割当てユニット（４８）に伝送される第２の現在のデータの容量を表す、２つのユーザアクセスバッファ（９１，９３）の現在のステータスを送信することができ、
前記光加入者線端局装置（２０）は、前記第１の動的伝送資源割当てユニット（４７）と前記第２の動的伝送資源割当てユニット（４８）との間にリンク（９８）を備え、
前記光加入者線端局装置（２０）は、前記第１の光ファイバ（２４）に接続されると共に前記第１の光ファイバ（２４）に対応するＴＤＭＡアップリンクアクセスを管理することができる第１のマルチポイント制御ユニット（４５）と、前記第２の光ファイバ（２６）に接続されると共に前記第２の光ファイバ（２６）に対応するＴＤＭＡアップリンクアクセスを管理することができる第２のマルチポイント制御ユニット（４６）とを備え、
前記第１のマルチポイント制御ユニット（４５）及び前記第２のマルチポイント制御ユニット（４６）は、前記第１の動的伝送資源割当てユニット（４７）及び前記第２の動的伝送資源割当てユニット（４８）にそれぞれ接続され、
前記保護方法は、
−  前記第１の動的伝送資源割当てユニット（４７）及び前記第２の動的伝送資源割当てユニット（４８）が、各ユーザアクセスバッファ（８１，９１）の現在のステータス及び各ユーザアクセスバッファ（９３）の現在のステータスをそれぞれ受信するステップ（１０２）と、
−  前記光加入者線終端装置（１４，１６）に割り当てられる現在の伝送資源の値を計算するステップ（１０３）と、
−  前記第１の動的伝送資源割当てユニット（４７）と前記第２の動的伝送資源割当てユニット（４８）との間で、ステップ（１０３）において計算された現在のそれぞれの伝送資源値を前記リンク（９８）を介して交換するステップ（１０４）と、
−  前記第１のマルチポイント制御ユニット（４５）と前記第２のマルチポイント制御ユニット（４６）との間で、現在の伝送資源、並びに、前記第１のＴＤＭＡアップリンクアクセス及び前記第２のＴＤＭＡアップリンクアクセスに対応する保護されている光加入者線終端装置（１６）の前記バッファ（９１，９３）の現在のステータスに関するシグナリングを交換し、同一の保護されている光加入者線終端装置（１６）のための前記第１のＴＤＭＡアクセス及び前記第２のＴＤＭＡアクセスに対応する第１の伝送資源及び第２の伝送資源を調整するように命令するステップと、
−  同一の保護されている光加入者線終端装置（１６）の修正済み伝送資源が互いに非常に類似し且つ同一になる傾向を有するように、現在の第１の伝送資源及び現在の第２の伝送資源、並びに前記バッファ（９１、９３）の現在のステータスに応じて、修正済みの第１の伝送資源及び修正済みの第２の伝送資源を、前記同一の保護されている光加入者線終端装置（１６）に割り当てるステップ（１０５）と、
から成る複数のステップを含むことを特徴とする、パッシブ光ネットワークにおける保護方法。
【請求項１１】
前記割り当てるステップ（１０５）は、同一の保護されている光加入者線終端装置（１６）に対して、
−  第１の割当て値を、前記第１の現在の伝送資源及び前記第２の現在の伝送資源のうちの最小値として計算するステップと、
−  前記第１のバッファ（９１）の第１の現在の残部を、前記第１の現在のデータの容量と前記第１の現在の伝送資源との差として計算するステップと、
−  前記第２のバッファ（９３）の第２の現在の残部を、前記第２の現在のデータの容量と前記第２の現在の伝送資源との差として計算するステップと、
−  前記第１の割当て値と、前記第１の現在の残部と前記第２の現在の残部との差の絶対値との差が正である場合、第２の割当て値を、前記第１の割当て値と前記絶対値との差として計算し、そうでない場合、前記第２の割当て値を、ゼロに等しいものとして計算するステップと、
−  前記第１の現在の残部が前記第２の現在の残部より大きい場合、前記第１の割当て値を前記第１の修正済み伝送資源とし、そうでない場合、前記第２の修正済み伝送資源を前記第１の割当て値とするステップと、
−  前記第１の修正済み伝送資源が前記第１の割当て値とされている場合、前記第２の割当て値を前記第２の修正済み伝送資源とし、そうでない場合、前記第１の修正済み伝送資源を前記第２の割当て値とするステップと、
を含むことを特徴とする、請求項１０に記載のパッシブ光ネットワークにおける保護方法。
【請求項１２】
前記保護方法は、
−  欠陥が検出されるとき、前記第２の光ファイバ（２６）から受信するデータのための第２の阻止ユニット（７０）を有効化すると共に、前記第１の光ファイバ（２４）から受信するデータのための第１の阻止ユニット（６０）を無効化することにより、前記第２の光ファイバ（２６）から前記第１の光ファイバ（２４）にトラフィックデータフローを部分的に又は全体的に切り換えてハンドオーバを実行するステップ（１１４）を含み、
第１のマルチプレクサ（５８）の前記阻止ユニット（６０）を無効化することは、全体的に無効化して前記光加入者線終端装置（１６）に対応する前記第１のＴＤＭＡアップリンクの全てのデータを通すと共に多重化するか、或いは部分的に無効化して選択された光加入者線終端装置（１６）に対応する前記第１のＴＤＭＡアップリンクのデータを通すと共に多重化するかのいずれかであり、
前記阻止ユニット（６０）を無効化することに関連して第２のマルチプレクサ（６８）の前記第２の阻止ユニット（７０）を有効化することは、前記第２のＴＤＭＡアップリンクの全てのデータをマスキングすることによって全体的に有効化するか、或いは前記第２のＴＤＭＡアップリンクのデータを選択的にマスキングすることによって部分的に無効化するかのいずれかである
ことを特徴とする、請求項１０又は１１に記載のパッシブ光ネットワークにおける保護方法。
【請求項１３】
前記保護方法は、
保護管理データを交換するステップ（１１１）と、
欠陥が発生しているか否かを試験するステップ（１１２）と、
から成る複数のステップを含むことを特徴とする、請求項１０〜１２のいずれか一項に記載のパッシブ光ネットワークにおける保護方法。
【請求項１４】
前記保護管理データはＩＴＵＧ８４１及びＧ９８３．５標準規格において定義される、請求項１３に記載のパッシブ光ネットワークにおける保護方法。
【発明の詳細な説明】
【技術分野】
【０００１】
本発明は、光回線が損傷しているときに高品質のセキュアなアクセスを与えるためのパッシブ光ネットワーク、及びパッシブ光ネットワーク（ＰＯＮ）においてセキュアなアクセスを実施する方法に関する。
【背景技術】
【０００２】
パッシブ光ネットワークは、光ネットワークのアクセス部の２つのアーキテクチャのうちの１つとして既知である。
【０００３】
ポイント・ツー・マルチポイント・アーキテクチャとも呼ばれるパッシブ光ネットワーク（ＰＯＮ）アーキテクチャによれば、従来のパッシブ光ネットワーク（ＰＯＮ）は、ルータを介して高速光ネットワーキングインフラストラクチャに属するスイッチに接続される光加入者線端局装置（Optical Line Termination）（ＯＬＴ）と、１組の光スプリッタとを備える。各光スプリッタは、その上流において種々の各専用ファイバを通して光加入者線端局装置（ＯＬＴ）に接続される。
【０００４】
パッシブ光ネットワークは、クラスタ内でグループ化される幾つかのユーザ端末も備える。これらのユーザ端末は、光加入者線終端装置（Optical Network Unit）（ＯＮＵ）とも呼ばれる。
【０００５】
各クラスタの複数のユーザ端末は、光加入者線端局装置から対応するクラスタにそれぞれ関連付けられるスプリッタまで１本の同じファイバを共有する。
【０００６】
各クラスタの複数のユーザ端末は、種々の各専用ファイバを通して対応する光スプリッタに接続される。
【０００７】
パッシブ光ネットワークアーキテクチャでは、１つのクラスタの複数のユーザ端末は、アップリンク（クラスタのスプリッタからＯＬＴへ）及びダウンリンク（ＯＬＴからクラスタのユーザ端末に関連付けられるスプリッタへ）の両方のために、１本のファイバしか共有しない。そのため、アップリンクデータ及びダウンリンクデータは、レーザの２つの異なる波長を使用して同時に伝送される。このようなダウンリンク／アップリンクアクセス方式は、波長二重アクセス（wavelength duplex access）と呼ばれる。
【０００８】
アップリンク方向では、クラスタの各ユーザに対してタイムスロットが繰り返し割り当てられ、そのタイムスロットにおいてデータの伝送が可能になる。
【０００９】
タイムスロットは、衝突の可能性がある同時伝送を避けるようにフレーム内に構成される。ユーザ端末からＯＬＴまでのこのようなアップリンクアクセス方式は、時分割多元接続（ＴＤＭＡ）と呼ばれる。
【００１０】
ユーザによっては、セキュリティ上の理由から非常にセキュアなアクセスネットワークを得る契約をしている。
【００１１】
ＰＯＮ光アクセスネットワークの場合、ＯＬＴと光加入者線終端装置との間のリンクに根本的に損傷を与え得る事象は、スプリッタとＯＬＴとの間又は光加入者線終端装置とスプリッタとの間のファイバの断線又は別の種類の部分的／全体的損傷である。
【００１２】
このトラブルシューティングを避けるために、光パスの冗長性が必要とされる。
【００１３】
パッシブ光ネットワークの場合、それらのアーキテクチャの複雑さに起因して、ＩＴＵ  Ｇ９８３．５標準規格において、ＯＬＴと光スプリッタとの間のみのパスの冗長性、完全冗長性等に関して幾つかの冗長構成が検討された。
【００１４】
ＩＴＵ  Ｇ９８３．５標準規格におけるタイプＣのケースに対応する完全冗長アーキテクチャは、高品質なセキュリティアクセスに契約したユーザに効率的な保護を提供する。
【００１５】
この場合、２組のユーザを区別することができる。保護されていない光加入者線終端装置から成る第１の組は、１本の光ファイバにのみ、すなわち１つの光スプリッタに接続される。保護されている光加入者線終端装置から成る第２の組は、２本の異なる光ファイバに、すなわち２つの異なる光スプリッタに接続され、各光スプリッタは異なる光ファイバに接続される。後者の場合、光加入者線終端装置は２つの異なるクラスタに属する。
【００１６】
技術的な問題は、第１のファイバにおいて断線が発生し、ハンドオーバ処理を実行することにより、保護されている光加入者線終端装置を他の保護されていない光加入者線終端装置のバックアップ光ファイバ（これは幾らかのデータトラフィックを搬送している場合がある）に切り換えなくてはならないときの、保護されている光加入者線終端装置におけるメイン光ファイバを通して伝送されているデータパケットの損失である。
【００１７】
実際、データパケットの大幅な損失は、保護されている光加入者線終端装置に接続しているエンドユーザにとって重大、さらには容認できない場合もある。
【先行技術文献】
【特許文献】
【００１８】
【特許文献１】国際公開第２００５／１１７３００号
【発明の概要】
【発明が解決しようとする課題】
【００１９】
本発明の目的は、保護されている光加入者線終端装置のトラフィックデータを、メイン光ファイバからバックアップ光ファイバへハンドオーバする間のパケットの損失を、最小限にするパッシブ光ネットワークを提供することである。
【課題を解決するための手段】
【００２０】
したがって、本発明は、保護機能が強化されたパッシブ光ネットワークに関する。この保護機能が強化されたパッシブ光ネットワークは、第１の光ファイバ及び第２の光ファイバにそれぞれ接続される光加入者線端局装置と、光加入者線端局装置に第１の光ファイバのみを通して接続される保護されていない光加入者線終端装置から成る第１の組と、光加入者線端局装置に第１の光ファイバ及び第２の光ファイバの両方を通して接続される保護されている光加入者線終端装置から成る第２の組とを備え、
光加入者線端局装置は、第１のファイバに接続される対応する光加入者線終端装置によって使用される第１のＴＤＭＡアップリンクアクセスのための伝送資源、及び、第２の光ファイバに接続される対応する光加入者線終端装置によって使用される第２のＴＤＭＡアップリンクアクセスのための伝送資源を、それぞれ別個に計算して割り当てることができる第１の動的伝送資源割当てユニット及び第２の動的伝送資源割当てユニットを有し、
第１の組の保護されていない光加入者線終端装置のそれぞれは、第１の動的伝送資源割当てユニットによって規定される特定の現在の第１の伝送資源に従って、第１のＴＤＭＡアップリンクにおいて適時にユーザデータを伝送することができると共に、各保護されていない光加入者線終端装置によって第１のＴＤＭＡアップリンク上で伝送されるデータの容量を表すユーザアクセスバッファの現在のステータスを第１の動的伝送資源割当てユニットに送信することができ、
第２の組の保護されている光加入者線終端装置のそれぞれは、
２つの異なるユーザアクセスバッファを有する複製データユニットを備え、第１のＴＤＭＡアップリンクアクセス及び第２のＴＤＭＡアップリンクアクセスにおいて、第１の動的伝送資源割当てユニットによって規定される第１の現在の伝送資源及び第２の動的伝送資源割当てユニットによって規定される第２の現在の伝送資源に従って、同一のユーザデータを別個且つ適時に伝送することができると共に、
第１のＴＤＭＡアップリンク上において各保護されている光加入者線終端装置によって第１の動的伝送資源割当てユニットに伝送される第１の現在のデータの容量、及び、第２のＴＤＭＡアップリンク上において第２の動的伝送資源割当てユニットに伝送される第２の現在のデータの容量を表す、ユーザアクセスバッファの現在のステータスを送信することができ、
光加入者線端局装置は、
ユーザアクセスバッファの現在のステータスを考慮に入れることによって、同一の保護されている光加入者線終端装置に対応する計算された第１の伝送資源及び第２の伝送資源を調整するために、第１の動的伝送資源割当てユニットと第２の動的伝送資源割当てユニットとの間に、第２の組の保護されている光加入者線終端装置に割り当てられる第１の伝送資源及び第２の伝送資源のそれぞれ別個に計算された値を交換するためのリンクを備える
ことを特徴とする。
【００２１】
特定の実施の形態によれば、パッシブ光ネットワークは以下の特徴のうちの１つ又は複数を含む：
−  第１の動的伝送資源割当てユニット及び第２の動的伝送資源割当てユニットは単一の同じユニットである；
−  パッシブ光ネットワークは、第２の光ファイバのみを通して光加入者線端局装置に接続される保護されていない光加入者線終端装置から成る第３の組を備える；
−  光加入者線端局装置は、第１の光ファイバに接続されると共に当該第１の光ファイバに対応するＴＤＭＡアップリンクアクセスを管理することができる第１のマルチポイント制御ユニットと、第２の光ファイバに接続されると共に当該第２の光ファイバに対応するＴＤＭＡアップリンクアクセスを管理することができる第２のマルチポイント制御ユニットとを備え、
第１のマルチポイント制御ユニット及び第２のマルチポイント制御ユニットは、
第１の動的伝送資源割当てユニット及び第２の動的伝送資源割当てユニットにそれぞれ接続され、
現在の伝送資源、並びに、第１のＴＤＭＡアップリンクアクセス及び第２のＴＤＭＡアップリンクアクセスに対応する保護されている光加入者線終端装置のバッファの現在のステータスに関するシグナリングを交換することができ、
同一の保護されている光加入者線終端装置のための第１のＴＤＭＡアクセス及び第２のＴＤＭＡアクセスに対応する第１の伝送資源及び第２の伝送資源を調整するように命令する；
−  第１のマルチポイント制御ユニット及び第２のマルチポイント制御ユニットはそれぞれ、
第１のデマルチプレクサ及び第２のデマルチプレクサと、
第１のデマルチプレクサ及び第２のデマルチプレクサにそれぞれ接続されるＦＩＦＯバッファの第１のバンク及びＦＩＦＯバッファの第２のバンクと、
ＦＩＦＯバッファの第１のバンクの出力及びＦＩＦＯバッファの第２のバンクの出力にそれぞれ接続される第１の多重化ユニット及び第２の多重化ユニットと、
を備える；
−  各多重化ユニットは、保護されている光加入者線終端装置のサブセットのデータに対応するデータを選択的にマスキングすることができる阻止ユニット（inhibition unit）を備える；
−  光加入者線端局装置は、第１のマルチポイント制御ユニット及び第２のマルチポイント制御ユニットの上流側の出力にそれぞれ接続される２つの入力を有する高速多重化ユニットを備える；
−  光加入者線端局装置は、阻止ユニットを制御することができる保護監視・ハンドオーバ管理ユニットを備え、
保護されている光加入者線終端装置は、第１の光ファイバ及び第２の光ファイバを通して保護監視・ハンドオーバ管理ユニット４９と保護シグナリングを交換することができる保護プロトコル管理ユニットを備える；
−  シグナリングは、ＩＴＵＧ８４１及びＧ９８３．５標準規格において定義される２つのバイトのＰＳＴタイプメッセージの交換、すなわちＫ１及びＫ２の交換を含む；
−  Ｋ１及びＫ２バイトは、ＩＥＥＥ８０２．３ａｈにおいて定義されるように、マルチポイントＭａｃレイヤ内でこれらのバイトを搬送するための特定のイーサネット（登録商標）フレーム中で搬送され、
この特定のフレームは、
宛先アドレス情報を含む６バイトの第１のフィールドと、
送信元アドレス情報を含む６バイトの第２のフィールドと、
新しい長さ／タイプ情報を含む２バイトの第３のフィールドと、
オペコード情報を含む２バイトの第４のフィールドと、
Ｋ１バイト情報を含む１バイトの第５のフィールドと、
Ｋ２バイト情報を含む１バイトの第６のフィールドと、
パディング情報を含む４２バイトの第７のフィールドと、
ＦＣＳ情報を含む４バイトの第８のフィールドと
を含む。
【００２２】
また、本発明は、パッシブ光ネットワークにおける保護方法にも関する。このパッシブ光ネットワークは、第１の光ファイバ及び第２の光ファイバにそれぞれ接続される光加入者線端局装置と、光加入者線端局装置に第１の光ファイバのみを通して接続される光加入者線終端装置から成る第１の組と、光加入者線端局装置に第１の光ファイバ及び第２の光ファイバの両方を通して接続される保護されている光加入者線終端装置から成る第２の組とを備え、
光加入者線端局装置は、第１のファイバに接続される対応する光加入者線終端装置によって使用される第１のＴＤＭＡアップリンクアクセスのための伝送資源、及び、第２の光ファイバに接続される対応する光加入者線終端装置によって使用される第２のＴＤＭＡアップリンクアクセスのための伝送資源を、それぞれ別個に割り当てることができる第１の動的伝送資源割当てユニット及び第２の動的伝送資源割当てユニットを有し、
第１の組の保護されていない光加入者線終端装置のそれぞれは、第１の動的伝送資源割当てユニットによって規定される特定の現在の第１の伝送資源に従って、第１のＴＤＭＡアップリンクにおいて適時にユーザデータを伝送することができると共に、各保護されていない光加入者線終端装置によって第１のＴＤＭＡアップリンク上で伝送されるデータの容量を表すユーザアクセスバッファの現在のステータスを第１の動的伝送資源割当てユニットに送信することができ、
第２の組の保護されている光加入者線終端装置のそれぞれは、
２つの異なるユーザアクセスバッファを有する複製データユニットを備え、第１のＴＤＭＡアップリンクアクセス及び第２のＴＤＭＡアップリンクアクセスにおいて、第１の動的伝送資源割当てユニットによって規定される第１の現在の伝送資源及び第２の動的伝送資源割当てユニットによって規定される第２の現在の伝送資源に従って、同一のユーザデータを別個且つ適時に伝送することができると共に、
第１のＴＤＭＡアップリンク上において各保護されている光加入者線終端装置によって第１の動的伝送資源割当てユニットに伝送される第１の現在のデータの容量、及び、第２のＴＤＭＡアップリンク上において各保護されている光加入者線終端装置によって第２の動的伝送資源割当てユニットに伝送される第２の現在のデータの容量を表す、２つのユーザアクセスバッファの現在のステータスを送信することができ、
光加入者線端局装置は、第１の動的伝送資源割当てユニットと第２の動的伝送資源割当てユニットとの間にリンクを備え、
当該保護方法は、
−  第１の動的伝送資源割当てユニット及び第２の動的伝送資源割当てユニットが、各ユーザアクセスバッファの現在のステータス及び各ユーザアクセスバッファの現在のステータスをそれぞれ受信するステップと、
−  光加入者線終端装置に割り当てられる現在の伝送資源の値を計算するステップと、
−  第１の動的伝送資源割当てユニットと第２の動的伝送資源割当てユニットとの間で、上記ステップにおいて計算された現在のそれぞれの伝送資源値をリンクを介して交換するステップと、
−  同一の保護されている光加入者線終端装置の修正済み伝送資源が互いに非常に類似し且つ同一になる傾向を有するように、現在の第１の伝送資源及び現在の第２の伝送資源、並びにバッファの現在のステータスに応じて、修正済みの第１の伝送資源及び修正済みの第２の伝送資源を、同一の保護されている光加入者線終端装置に割り当てるステップと、
から成る複数のステップを含むことを特徴とする。
【００２３】
特定の実施の形態によれば、本方法は以下の特徴のうちの１つ又は複数を含む：
−  割り当てるステップは、同一の保護されている光加入者線終端装置に対して、
−  第１の割当て値を第１の現在の伝送資源及び第２の現在の伝送資源のうちの最小値として計算するステップと、
−  第１のバッファの第１の現在の残部を、第１の現在のデータの容量と第１の現在の伝送資源との差として計算するステップと、
−  第２のバッファの第２の現在の残部を、第２の現在のデータの容量と第２の現在の伝送資源との差として計算するステップと、
−  第１の割当て値と、第１の現在の残部と第２の現在の残部との差の絶対値との差が正である場合、第２の割当て値を、第１の割当て値と上記絶対値との差として計算し、そうでない場合、第２の割当て値を、ゼロに等しいものとして計算するステップと、
−  第１の現在の残部が第２の現在の残部より大きい場合、第１の割当て値を第１の修正済み伝送資源とし、そうでない場合、第２の修正済み伝送資源を第１の割当て値とするステップと、
−  第１の修正済み伝送資源が第１の割当て値とされている場合、第２の割当て値を第２の修正済み伝送資源とし、そうでない場合、第１の修正済み伝送資源を第２の割当て値とするステップと、
を含む；
−  当該方法は、
欠陥（default）が検出されるとき、第２の光ファイバから受信するデータのための第２の阻止ユニットを有効化すると共に、第１の光ファイバから受信するデータのための第１の阻止ユニットを無効化することにより、第２の光ファイバから第１の光ファイバにトラフィックデータフローを部分的に又は全体的に切り換えてハンドオーバを実行するステップを含み、
第１のマルチプレクサの阻止ユニットを無効化することは、全体的に無効化して光加入者線終端装置に対応する第１のＴＤＭＡアップリンクの全てのデータを通すと共に多重化するか、或いは部分的に無効化して選択された光加入者線終端装置に対応する第１のＴＤＭＡアップリンクのデータを通すと共に多重化するかのいずれかであり、
阻止ユニットを無効化することに関連して第２のマルチプレクサの第２の阻止ユニットを有効化することは、第２のＴＤＭＡアップリンクの全てのデータをマスキングすることによって全体的に有効化するか、或いは第２のＴＤＭＡアップリンクのデータを選択的にマスキングすることによって部分的に無効化するかのいずれかである；
−  当該方法は、
−  保護管理データを交換するステップと、
−  欠陥が発生しているか否かを試験するステップと、
から成る複数のステップを含む。
−  保護管理データはＩＴＵＧ８４１及びＧ９８３．５標準規格において定義される。
【００２４】
例示としてのみ与えられる以下の説明を図面を参照して読むことによって、本発明のさらなる理解が容易になるであろう。
【図面の簡単な説明】
【００２５】
【図１】本発明による高品質のセキュアなアクセスを提供するパッシブ光ネットワークの一実施形態の構造図である。
【図２】図１のアーキテクチャにおいて実施される保護管理方法のフローチャートである。
【図３】図２の保護管理方法を実施するのに必要とされるシグナリングを搬送するためのイーサネット（登録商標）フレームの図である。
【図４】図１の実施形態の第１の変形形態の構造図である。
【図５】図１の実施形態の第２の変形形態の構造図である。
【発明を実施するための形態】
【００２６】
図１によれば、光ネットワーク２は、高速データネットワーキングインフラストラクチャ部４と、ユーザ端末部６と、ネットワーキングインフラストラクチャ４をユーザ端末部６にリンクする光アクセス部８とを備える。
【００２７】
高速データネットワーキングインフラストラクチャ部４は、高速ネットワーク１０と、高速ネットワーク１０に接続されるルータ１２とを含む。
【００２８】
ユーザ端末部６は、保護されていないユーザネットワークユニット１４から成る第１の組と、保護されているユーザネットワークユニット１６から成る第２の組とを含み、これらは光アクセス部８を介してルータ１２に接続される。
【００２９】
光アクセス部８は、ネットワーキングインフラストラクチャ部４に対するインターフェースとして、高速ファイバ又は銅線２２を通してルータ１２に接続される光加入者線端局装置２０を含む。
【００３０】
光アクセス部８は、第１の光ファイバ２４と第２の光ファイバ２６とを含む。第１の光ファイバ２４は、保護されていない光加入者線終端装置１４から成る第１の組を、１組のスプリッタ（図示せず）を介して第１の光ポート２８において光加入者線端局装置２０に相互接続する。第２の光ファイバ２６は、保護されている光加入者線終端装置１６から成る第２の組を、１組のスプリッタ（図示せず）を介して第２の光ポート３０において光加入者線端局装置２０に相互接続する。
【００３１】
第１の組の保護されていない光加入者線終端装置１４（ここでは３個の組）のそれぞれは、単一の異なる回線３２，３４，３６を通り、１つ又は１組のスプリッタ（図示せず）を介して第１の光ファイバ２４のみに接続される。スプリッタは図１には示されていない。これはスプリッタが透過的であり、光加入者線終端装置とＯＬＴとの間の光パスの定義は、回線３２，３４，３６と第１の光ファイバ２４とのつながりに基づくためである。スプリッタは、回線３２，３４，３６と第１の光ファイバ２４との間の接続ノードの役割を果たし、そのようなノードが図１に示されている。
【００３２】
第２の組の保護されている光加入者線終端装置１６（ここでは２個の組）のそれぞれは、単一の異なる回線３８，４０を通して、バックアップ光ファイバとして動作する第１の光ファイバ２４に接続される。
【００３３】
第２の組の保護されている光加入者線終端装置１６のそれぞれは、単一の異なる回線４２，４４を通して、メイン光ファイバとして動作する第２の光ファイバ２６に接続される。
【００３４】
光加入者線端局装置２０及びルータ１２は、ポイント・オブ・プレゼンスとも呼ばれる中央局を構成している。
【００３５】
光加入者線端局装置２０は、ＴＤＭＡアップリンク伝送（光加入者線終端装置（ＯＮＵ）から光加入者線端局装置（ＯＬＴ）へ）を管理することができる光ファイバ毎の専用マルチポイント制御ユニットを備える。
【００３６】
図１に２本の光ファイバ２４，２６が示されているため、２つのマルチポイント制御ユニット４５，４６のみが示される。
【００３７】
また、光加入者線端局装置２０は、動的帯域割当てユニットとも呼ばれる第１の動的伝送資源割当てユニット４７及び第２の動的伝送資源割当てユニット４８を備える。第１の動的伝送資源割当てユニット４７は、第１のマルチポイント制御ユニット４５に関連付けられて接続され、第２の動的伝送資源割当てユニット４８は、第２のマルチポイント制御ユニット４６に関連付けられて接続される。
【００３８】
また、光加入者線端局装置２０は、双方向リンクを介して各マルチポイント制御ユニット４５，４６に接続される保護監視・ハンドオーバ管理ユニット４９と、入力が各マルチポイント制御ユニット４５，４６に接続されると共に出力がルータ１２に接続される高速マルチプレクサ５０とを備える。
【００３９】
第１のマルチポイント制御ユニット４５は、第１のＴＤＭＡアップリンク復調器５１と、その後段に接続される第１のデマルチプレクサ５２とを備え、第１の復調器５１は光ポート２８において第１の光ファイバ２４に接続される。
【００４０】
第１のマルチポイント制御ユニット４５は、第１のＦＩＦＯ（先入れ先出し）構造に基づくバッファ５４，５６から成る第１のバンクも備える。各バッファ５４，５６は特定の光加入者線終端装置に対応する。バッファ５４から成る第１の組は、保護されていない光加入者線終端装置１４に対応する。バッファ５６から成る第２の組は、保護されている光加入者線終端装置１６に対応する。
【００４１】
第１のマルチポイント制御ユニット４５は、入力が各バッファ５４，５６に接続される第１のＴＤＭＡマルチプレクサ５８を備え、ＴＤＭＡマルチプレクサ５８は、阻止ユニット６０を有する。阻止ユニット６０は、サブセット構成情報を含む第１の選択コマンドに従って、保護されている光加入者線終端装置１６に関連付けられるバッファ５６中の判定済みのバッファのサブセットから発行されたデータのみを選択的にマスキングするか、或いは、第２の選択コマンドに従って、全てのバッファ５４，５６のデータをマスキングするかのいずれかを行うことができる。
【００４２】
第１のマルチポイント制御ユニット４５は、第１の制御ユニット６２を備える。第１の制御ユニット６２は、デマルチプレクサ５２と、第１のバンクのＦＩＦＯバッファ５４，５６と、阻止ユニット６０を備える第１のＴＤＭＡマルチプレクサ５８と、第１の光ファイバ２４に接続される各光加入者線終端装置１４，１６、特に光加入者線終端装置１４，１６のユーザアクセスＦＩＦＯバッファとのセットからステータスを受信すると共に、デマルチプレクサ５２と、第１のバンクのＦＩＦＯバッファ５４，５６と、阻止ユニット６０を備える第１のＴＤＭＡマルチプレクサ５８と、第１の光ファイバ２４に接続される各光加入者線終端装置１４，１６、特に光加入者線終端装置１４，１６のユーザアクセスＦＩＦＯバッファとのセットに対してコマンドを送信することができる。ステータスの受信及びコマンドの送信は、それぞれの双方向リンクを介して実行される。
【００４３】
第２のマルチポイント制御ユニット４６は、第２のＴＤＭＡアップリンク復調器６３と、その後段に接続される第２のデマルチプレクサ６４とを備え、第２の復調器６３は光ポート３０において第２の光ファイバ２６に接続される。
【００４４】
第２のマルチポイント制御ユニット４６は、第１のＦＩＦＯ（先入れ先出し）構造に基づくバッファ６６から成る第２のバンクも備える。各バッファ６６は特定の光加入者線終端装置に対応する。バッファ６６から成る第２のバンクは、保護されている光加入者線終端装置１６に対応する。
【００４５】
第２のマルチポイント制御ユニット４６は、入力が各バッファ６６に接続される第２のＴＤＭＡマルチプレクサ６８を備え、ＴＤＭＡマルチプレクサ６８は、阻止ユニット７０を有する。阻止ユニット７０は、サブセット構成情報を含む第３のコマンドに従って、保護されている光加入者線終端装置１６に関連付けられるバッファ６６中の判定済みのバッファのサブセットから発行されたデータを選択的にマスキングすることができる。
【００４６】
第２のマルチポイント制御ユニット４６は、第２の制御ユニット７２を備える。第２の制御ユニット７２は、デマルチプレクサ６４と、第２のバンクのＦＩＦＯバッファ６６と、第２の阻止ユニット７０を備える第２のＴＤＭＡマルチプレクサ６８と、第２の光ファイバ２６に接続される各光加入者線終端装置１６とから、それぞれの双方向リンクを介してステータスを受信すると共に、デマルチプレクサ６４と、第２のバンクのＦＩＦＯバッファ６６と、第２の阻止ユニット７０を備える第２のＴＤＭＡマルチプレクサ６８と、第２の光ファイバ２６に接続される各光加入者線終端装置１６とに対してそれぞれの双方向リンクを介してコマンドを送信することができる。
【００４７】
保護されていない光加入者線終端装置１４のそれぞれは、ユーザアクセスＦＩＦＯバッファ８１と共に伝送資源ユニット８０を備える。伝送資源ユニット８０は、第１のマルチポイント制御ユニット４５から、第１の動的伝送資源割当てユニット４７によって割り当てられた現在の伝送資源、すなわち第１のＴＤＭＡアップリンクの同一スロット内で伝送されるデータ数を受信することができる。
【００４８】
ユーザアクセスＦＩＦＯバッファ８１のそれぞれは、ＴＤＭＡスロットでの伝送前に、現在格納されている伝送用データ容量に関する自身のステータスを、シグナリングを介してマルチポイント制御ユニット４５に提供することができる。
【００４９】
保護されている光加入者線終端装置１６のそれぞれは、複製ユニット９０を備える。複製ユニット９０は、アップリンクで送信されるデータを２つの異なるユーザアクセスバッファ９１，９３内に複製し、各バッファ９１，９３から図１に示すような上部の端末又は下部の端末への接続に従って、２つのそれぞれの回線３８，４２又は４０，４４に異なるデータ束を送信することができる。
【００５０】
ユーザアクセスＦＩＦＯバッファ９１のそれぞれは、第１のＴＤＭＡアップリンクスロットでの伝送前に、現在格納されている第１の伝送用データ容量に関する自身のステータスを、シグナリングを介して第１のマルチポイント制御ユニット４５に提供することができる。ユーザアクセスＦＩＦＯバッファ９３のそれぞれは、第２のＴＤＭＡアップリンクスロットでの伝送前に、現在格納されている第２の伝送用データ容量に関する自身のステータスを、シグナリングを介して第２のマルチポイント制御ユニット４６に提供することができる。
【００５１】
保護されている光加入者線終端装置１６のぞれぞれの複製ユニット９０は、２つのＴＤＭＡアップリンクのためのＴＤＭＡアップリンク資源ユニット９２を備える。ＴＤＭＡアップリンク資源ユニット９２は、第１のマルチポイント制御ユニット４５から、第１の動的伝送資源割当てユニット４７によって割り当てられた現在の伝送資源の値を受信することができ、また第２のマルチポイント制御ユニット４６から、第２の動的伝送資源割当てユニット４８によって割り当てられた現在の伝送資源の値を受信することができる。また、受信した伝送資源の値を、ＴＤＭＡアップリンク伝送中の伝送パラメータとすることができる、
【００５２】
また、保護されている光加入者線終端装置１６のそれぞれの複製ユニット９０は、保護プロトコル管理ユニット９４も備える。保護プロトコル管理ユニット９４は、第１のマルチポイント制御ユニット４５及び第２のマルチポイント制御ユニット４６を介して保護監視・ハンドオーバ管理ユニット４９と保護シグナリングを交換することができる。
【００５３】
２つの動的伝送資源割当てユニット４７，４８間には、適切なインターフェースを備える双方向リンク９８が設けられる。
【００５４】
したがって、リンク９８を備える２つの動的光資源割当てユニット４７，４８は、互いに協働することができる。また、各ＴＤＭＡアップリンクについて以前に別個に計算された伝送資源を修正することによって、２つのＴＤＭＡアップリンクのための最適化された伝送資源の割当て方式を作り上げることができる。このように、２つの動的伝送資源割当てユニット４７，４８は、保護されている光加入者線終端装置１６の２つのバッファのステータスも考慮に入れることによって、同一の保護されている光加入者線終端装置１６に対応する２つのＴＤＭＡアップリンクの伝送資源を調整することができる。
【００５５】
図２は、保護機能に関するＰＯＮの動作を示す。
【００５６】
通常動作中、２本の光ファイバ２４，２６が正しく動いている間、保護されていない光加入者線終端装置１４から発行されたトラフィックデータは、第１の光ファイバ２４を通して流れ、第１のマルチポイント制御ユニット４５によって処理され、第２のマルチポイント制御ユニット４６から発行されたデータと共に高速マルチプレクサ５０により多重化されて、高速データネットワーク１０に出力される。
【００５７】
通常動作中、保護されている光加入者線終端装置１６から発行されたトラフィックデータは、それぞれの複製ユニット９０によって、第１のデータフロー及び第２のデータフローに複製される。
【００５８】
第１のデータフローは、第１の光ファイバ２４を通して流れ、第１のマルチポイント制御ユニット４５によって処理される。第１のデータフローはそれぞれのＦＩＦＯバッファ５６内でバッファリングされるが、阻止ユニット６０が有効化されており、第１のマルチプレクサ５８における多重化段階の間、阻止ユニット６０によって実行されるマスキングによって阻止される。したがって、第１のデータフローが高速マルチプレクサ５０によって高速データネットワークに伝送されることはない。
【００５９】
第２の光ファイバ２６を通して流れる第２のデータフローは、第２のマルチポイント制御ユニット４６によって処理される。第２のデータフローはそれぞれのＦＩＦＯバッファ６６内でバッファリングされるが、第２の阻止ユニット７０は無効化されており、第２のマルチプレクサ６８における多重化中に第２の阻止ユニット７０によって阻止されることはない。したがって、第２のデータフローは高速マルチプレクサ５０によって高速データネットワーク１２に伝送され、それによって、保護されている光加入者線終端装置１６から発行されるデータの正しい伝送が可能になる。
【００６０】
通常動作中、第１のＴＤＭＡアップリンクアクセスは第１のマルチポイント制御ユニット４５によって制御され、第２のＴＤＭＡアップリンクアクセスは第２のマルチポイント制御ユニット４６によって制御される。
【００６１】
第１のアップリンクＴＤＭＡアクセスは、第１の光ファイバ２４に接続されている保護されていない光加入者線終端装置１４及び保護されている光加入者線終端装置１６の両方に割り当てられる伝送資源を含む。
【００６２】
第２のアップリンクＴＤＭＡアクセスは、第２の光ファイバ２６にのみ接続されている保護されている光加入者線終端装置１６に割り当てられる伝送資源を含む。
【００６３】
第１のステップ１０１において、第１のマルチポイント制御ユニット４５及び第２のマルチポイント制御ユニット４６は、各光加入者線終端装置に対して、光加入者線終端装置からマルチポイント制御ユニットまでの各光パスにおけるそれぞれのラウンドトリップ遅延に応じて、適切なＴＤＭＡフレーム同期パラメータを送信する。
【００６４】
次のステップ１０２において、第１の制御ユニット６２は、各ユーザアクセスＦＩＦＯバッファ８１，９３から、第１の光ファイバ回線２４に接続されている各光加入者線終端装置１４，１６から第１のＴＤＭＡアップリンクで伝送されるデータの容量を表すステータスを受信する。次に、第１の制御ユニット６２は、これらのステータスを第１の動的伝送資源割当てユニット４７に伝送する。
【００６５】
同じステップ１０２において、第２の制御ユニット７２は、各ユーザアクセスＦＩＦＯバッファ９３から、第２の光ファイバ２６に接続されている各保護されている光加入者線終端装置１６から第２のＴＤＭＡアップリンクで伝送されるデータの容量を表すステータスを受信する。次に、第２の制御ユニット７２は、このステータスを第２の動的伝送資源割当てユニット４８に伝送する。
【００６６】
ステップ１０３において、第１の動的伝送資源割当てユニット４７及び第２の動的伝送資源割当てユニット４８は、現在の第１のＴＤＭＡアップリンクアクセス方式及び第２のＴＤＭＡアップリンクアクセス方式を同時且つ別個に最適化することによって、光加入者線終端装置１４．１６に割り当てられている現在の伝送資源の値を同時且つ別個に計算する。
【００６７】
さらなるステップ１０４において、第１の動的伝送資源割当てユニット４７及び第２の動的伝送資源割当てユニット４８は、ステップ１０３で計算された現在の伝送資源値をシグナリングリンク９８を介して交換する。割当てステップ１０５において、同一の保護されている光加入者線終端装置１６に割り当てられる２つの修正済み伝送資源が互いに非常に類似し且つ同一になる傾向を有しなくてはならないという制約を考慮に入れることによって、ステップ１０３で計算された現在の伝送資源割当て方式を修正する。
【００６８】
非限定的な例として、割当てステップ１０５は、同一の保護されている光加入者線終端装置の場合に以下のステップを含む。
−  第１の割当て値を、第１の現在の伝送資源及び第２の現在の伝送資源のうちの最小値として計算するステップ
−  第１のバッファ９１の第１の現在の残部を、第１の現在のデータの容量と第１の現在の伝送資源との差として計算するステップ
−  第２のバッファ９３の第２の現在の残部を、第２の現在のデータの容量と第２の現在の伝送資源との差として計算するステップ
−  第１の割当て値と、第１の現在の残部と第２の現在の残部との差の絶対値との差が正である場合、第２の割当て値を、第１の割当て値と上記絶対値との差として計算し、そうでない場合、第２の割当て値を、ゼロに等しいものとして計算するステップ
−  第１の現在の残部が第２の現在の残部より大きい場合、第１の割り当て値を第１の修正済み伝送資源とし、そうでない場合、第２の修正済み伝送資源を第１の割当て値とするステップ
−  第１の修正済み伝送資源が第１の割当て値とされている場合、第２の割当て値を第２の修正済み伝送資源とし、そうでない場合、第１の修正済み伝送資源を第２の割当て値とするステップ
【００６９】
後続のステップ１０６において、第１の動的伝送資源割当てユニット４７は、第１のＴＤＭＡアップリンクのための修正済み伝送資源割当て方式、すなわち割り当てられた１組の修正済み伝送資源を、第１のマルチポイント制御ユニット４５に送信する。第２の動的伝送資源割当てユニット４８は、第２のＴＤＭＡアップリンクのための修正済み伝送資源割当て方式、すなわち割り当てられた１組の修正済み伝送資源を、第２のマルチポイント制御ユニット４６に送信する。
【００７０】
後続のステップ１０８において、第１のマルチポイント制御ユニット４５は、各保護されていない光加入者線終端装置１４の伝送資源ユニット８０、及び各保護されている光加入者線終端装置１６の伝送資源ユニット９２に対して、修正済みの割り当てられた伝送資源を送信する。この修正済みの割り当てられた伝送資源は、第１のＴＤＭＡアップリンクに対応し、第１の動的伝送資源割当てユニット４７によって決定されたものである。
【００７１】
同じステップ１０８において、第１のマルチポイント制御ユニット４５による送信と同時に、第２のマルチポイント制御ユニット４６は、各保護されている光加入者線終端装置１６の伝送資源ユニット９２に対して、修正済みの割り当てられた伝送資源を送信する。この修正済みの割り当てられた伝送資源は、第２のＴＤＭＡアップリンクに対応し、第２の動的伝送資源割当てユニット４８によって決定されたものである。
【００７２】
同じステップ１０８において、第１のマルチポイント制御ユニット４５及び第２のマルチポイント制御ユニット４６は、光加入者線終端装置１４，１６に対して、更新済みの割り当てられた伝送資源を用いて伝送を実行する要求を送信する。
【００７３】
ステップ１０２，１０３，１０４，１０５，１０６，１０８は、第１の時間期間を有する第１の周期に従って繰り返される。
【００７４】
第１の周期を形成するステップ１０２，１０３，１０４，１０５，１０６，１０８と並行して、ステップ１１１において、光加入者線端局装置２０の保護監視・ハンドオーバ管理ユニット４９と、保護プロトコル管理ユニット９４とは、ＩＴＵで標準化されたプロトコルにおいて定義されるＫ１，Ｋ２と称される２つのバイトの交換に基づいて、保護プロトコルシグナリングを交換する。これらのバイトは、各保護されている光加入者線終端装置１６及び光加入者線端局装置２０の現在の状態、及び欠陥(default)の場合に行う動作を記述する。
【００７５】
リンク品質及びリンク有効性に関する全ての情報は、Ｋ１及びＫ２バイトを使用して交換される。変形形態では、別のプロトコルを使用してもよい。
【００７６】
さらなるステップ１１２において、欠陥が発生しているか否かを判断するために試験が実行される。たとえば、第２の光ファイバ２６が断線したときに欠陥が発生する。
【００７７】
欠陥は、データを読み取ることができないか、又はエラーが検出されるかのいずれかによって検出される。他の何らかのメカニズムを使用して欠陥を検出することもできる。
【００７８】
欠陥が発生していない場合、第１の時間期間よりも大幅に小さい第２の時間期間を有する第２の周期に従って、ステップ１１１，１１２が繰り返される。
【００７９】
欠陥が発生している場合、プロセスはステップ１１４に進み、保護されている光加入者線終端装置１６のトラフィックデータを、第２のファイバ２６から第１の光ファイバ２４へと全体的に又は部分的にハンドオーバするための動作が行われる。
【００８０】
このステップ１１４において、第１のマルチプレクサ５８の阻止ユニット６０は全体的に無効化され、光加入者線終端装置１６に対応する第１のＴＤＭＡアップリンクの全てのデータが通過すると共に多重化されるか、或いは第１のマルチプレクサ５８の阻止ユニット６０は部分的に無効化され、選択された光加入者線終端装置１６に対応する第１のＴＤＭＡアップリンクのデータが通過すると共に多重化される。
【００８１】
それに応じて、同じステップ１１４において、第２のマルチプレクサ６８の阻止ユニット７０は、第２のＴＤＭＡアップリンクの全てのデータをマスキングすることによって全体的に無効化されるか、或いは第２のＴＤＭＡアップリンクのデータを選択的にマスキングすることによって部分的に無効化される。
【００８２】
伝送資源は５６及び６６のそれぞれの出力においてほとんど同一であるため、ハンドオーバ中のパケットの損失は最小化され、さらには回避される。
【００８３】
図３には保護プロトコルの一実施態様が示されている。ＩＴＵで定義される２つの保護バイトＫ１及びＫ２は、ＩＥＥＥ８０２．３ａｈ標準規格において定義されているようにマルチポイント媒体アクセスレイヤ内で搬送される。イーサネット（登録商標）として既知であるＩＥＥＥ８０２．３ａｈ標準規格に従って、新しいタイプのフレーム２００が作成され、図３に示される。
【００８４】
２つのバイトＫ１及びＫ２を搬送するイーサネット（登録商標）フレーム２００は、以下のように定義される８つのフィールドを含む。
−  宛先アドレス情報を含む６バイトの第１のフィールド２０２
−  送信元アドレス情報を含む６バイトの第２のフィールド２０４
−  長さ／タイプ情報を含む２バイトの第３のフィールド２０６（ここでは、Ｍａｃ制御フレームが使用されているため８８０８）
−  新規のオペコード（オペレーションコード）情報を含む２バイトの第４のフィールド２０８
−  Ｋ１バイト情報を含む１バイトの第５のフィールド２１０
−  Ｋ２バイト情報を含む１バイトの第６のフィールド２１２
−  パディング情報を含む４２バイトの第７のフィールド２１４
−  ＦＣＳ情報を含む４バイトの第８のフィールド２１６
【００８５】
図４に示されるパッシブ光ネットワーク３０２は、図１に記載されている実施形態の第１の変形形態である。リンク９８によって互いに連結される第１の動的伝送資源割当てユニット４７及び第２の動的伝送資源割当てユニット４８は、単一の伝送資源割当てユニット３１０に統合されている。
【００８６】
サイズ及び電力消費の削減という通常の統合効果の他に、このようなアーキテクチャは、より効率的な割当てアルゴリズムの展開も容易にする。
【００８７】
図５に示されるパッシブ光ネットワーク４０２は、図１に記載されている実施形態の第２の変形形態である。保護されていない端末１４から成る第３の組が追加され、図１では保護されている光加入者線終端装置のみに専用であった第２の光ファイバ２６に接続される。
【００８８】
図５において、阻止ユニット７０は、阻止ユニット６０と同じタイプである。阻止ユニット７０は、サブセット構成情報を含む第１の選択コマンドに従って、保護されている光加入者線終端装置１６に関連付けられるバッファ６６中の判定済みのバッファのサブセットから発行されたデータのみを選択的にマスキングするか、或いは第２の選択コマンドに従って、全てのバッファ６６、４０６のデータをマスキングすることができる。
【００８９】
図１における第２のマルチポイント制御ユニット４６のアーキテクチャは、第２のマルチポイント制御ユニット４０４に対して、保護されていない光加入者線終端装置１４から成る第３の組に対応する２つのＦＩＦＯバッファ４０６を追加することによってわずかに変更されている。
【００９０】
保護されていないユーザを第１の光ファイバ２４と第２の光ファイバ２６との間で好ましくは等しく分配すると共に、伝送資源割当ての決定が協調していない、すなわち、動的伝送資源割当てユニット４７，４８によって割り当てられた伝送資源が２つの光パスにわたって異なる場合であっても、トラフィック機能は光加入者線終端装置間で統計的に類似するという事実を考慮に入れることによって、同じ保護されている光加入者線終端装置１６のための伝送資源間の差は、全ての保護されていない光加入者線終端装置が同一の光ファイバに接続される場合に呈される差よりも小さくなる。
【００９１】
有利なこととしては、１本のファイバが断線したとき、保護されていない光加入者線終端装置１４のうちの一部、好ましくは半数のみが影響を受け、保護されている光加入者線終端装置は持続的にサービスにアクセスし続ける。
【００９２】
有利なこととしては、リンク９８が損傷した場合、保護されている光加入者線終端装置のサービス品質及び稼働率は良好状態を保つ。
【図１】
0005368846.tif 000002
【図２】
0005368846.tif 000003
【図３】
0005368846.tif 000004
【図４】
0005368846.tif 000005
【図５】
0005368846.tif 000006